(57)【要約】      （修正有）【課題】吊下げる物品の重量が許容範囲内であるか否かを判断することができる吊下げ装置を提供する。【解決手段】複数のピンＰ１，Ｐ２により天井板Ｃに固定するベース１と、ベース１に対して上端部を上下動可能に挿設し且つ下端部にフック２を有するフック部材３と、ベース１内部でフック部材３を上昇限に保持するスプリング４と、スプリング４に抗してフック部材３が下降するのに伴って機能する警告表示部５を備えた吊下げ装置Ｈ１としたことにより、吊下げる物品の重量が許容範囲内であるか否かを目視で至極簡単に判断することができると共に、天井から脱落するような事態を未然に防止することができ、信頼性や安全性を大幅に高めることができる。【選択図】図１
2010101484.tif 000002
【特許請求の範囲】
【請求項１】
複数のピンにより天井板に固定するベースと、ベースに対して上端部を上下動可能に挿設し且つ下端部にフックを有するフック部材と、ベース内部でフック部材を上昇限に保持するスプリングと、スプリングに抗してフック部材が下降するのに伴って機能する警告表示部を備えたことを特徴とする吊下げ装置。
【請求項２】
警告表示部が、スプリングに抗してフック部材が下降するのに伴って露出する色彩を施したものであることを特徴とする請求項１に記載の吊下げ装置。
【請求項３】
ベースの内面に沿って移動可能な表示板を備え、この表示板に警告表示部を設けると共に、ベースの壁部に、表示板の移動に伴って警告表示部を露出させる開口部を設け、フック部材と表示板との間に、フック部材の下降を表示板の移動に変換する運動伝達手段を設けたことを特徴とする請求項２に記載の吊下げ装置。
【請求項４】
運動伝達手段が、フック部材側に設けた第一ラックと、表示板側に設けた第２ラックと、第１及び第２のラックに係合するピニオンを備えていることを特徴とする請求項３に記載の吊下げ装置。
【請求項５】
運動伝達手段が、フック部材側と表示板側を連結する可撓性プレートであることを特徴とする請求項３に記載の吊下げ装置。
【請求項６】
ベースの壁部の開口部に、凸レンズを設けたことを特徴とする請求項３〜５のいずれか１項に記載の吊下げ装置。
【請求項７】
警告表示部が、スプリングに抗してフック部材が下降するのに伴って点灯する発光体であって、フック部材の下降に伴って発光体に通電するスイッチを備えたことを特徴とする請求項１に記載の吊下げ装置。
【請求項８】
スイッチが、発光体の電源である電池を備えていることを特徴とする請求項７に記載の吊下げ装置。
【請求項９】
フック部材に警告表示部が設けてあることを特徴とする請求項１〜８のいずれか１項に記載の吊下げ装置。
【請求項１０】
フックを突出状態にしてベースの外側に被着され且つ機能した警告表示部が視認可能なカバーを備えたことを特徴とする請求項１〜９のいずれか１項に記載の吊下げ装置。
【請求項１１】
フックを突出状態にしてベースの外側に被着するカバーを備え、カバーが、機能した警告表示部を視認するための窓部を有していることを特徴とする請求項１〜８のいずれか１項に記載の吊下げ装置。
【請求項１２】
フックを突出状態にしてベースの外側に被着するカバーを備え、カバーに、発光体を設けたことを特徴とする請求項７又は８に記載の吊下げ装置。
【請求項１３】
フックを突出状態にしてベースの外側に被着するカバーを備え、カバーが、少なくとも発光体に対応する部分に半透光性を有するものであることを特徴とする請求項７又は８に記載の吊下げ装置。
【発明の詳細な説明】
【技術分野】
【０００１】
本発明は、とくに、石膏ボード等の天井板に好適な吊下げ装置であって、ボードやシート等の広告媒体や比較的軽量の観葉植物などの物品を天井から吊下げておくのに用いられる吊下げ装置に関するものである。
【背景技術】
【０００２】
この種の吊下げ装置としては、例えば、天井の下面に固定する一対の支持アームと、両支持アームにより水平に保持される吊枠と、吊枠の下面に吸着する複数の磁石を備え、シート状の広告媒体の上端部を吊枠と各磁石との間で挟持して、同広告媒体を吊下げておくものがあった（特許文献１参照）。
【０００３】
また、近年では、店舗等の天井板に石膏ボードが多用されている。このような天井に用いる吊下げ装置としては、フック本体と天井板に突き刺す複数のピンを備え、これらのピンによりフック本体を固定して物品を吊下げるものがある。この固定用のピンを用いることにより、物品の吊下げ位置を自由に選択してフック本体を容易に固定することができると共に、フック本体の取外しも容易であって、ピンの跡が目立つような心配も無い。
【特許文献１】実開昭６３−１４４６７１号公報
【発明の開示】
【発明が解決しようとする課題】
【０００４】
ところが、上記したような従来の吊下げ装置にあっては、天井板への固定強度に基づいて、吊下げ可能な物品の許容重量が設定してあるものの、実際の作業においては、作業の度に物品の重量を測るようなことはあまり行われていない。
【０００５】
このため、従来の吊下げ装置は、物品の許容重量が設定してあっても、物品の重量超過によって当該装置が天井から脱落するような事態をまねく恐れが無いとは言えず、このような問題点を解決することが課題であった。
【０００６】
本発明は、上記従来の状況に鑑みて成されたものであって、吊下げる物品の重量が許容範囲内であるか否かを目視で至極簡単に判断することができ、天井から脱落するような事態を未然に防止することができる吊下げ装置を提供することを目的としている。
【課題を解決するための手段】
【０００７】
本発明の吊下げ装置は、請求項１として、複数のピンにより天井板に固定するベースと、ベースに対して上端部を上下動可能に挿設し且つ下端部にフックを有するフック部材と、ベース内部でフック部材を上昇限に保持するスプリングと、スプリングに抗してフック部材が下降するのに伴って機能する警告表示部を備えた構成とし、上記構成をもって従来の課題を解決するための手段としている。
【０００８】
なお、本発明の吊下げ装置は、とくに、手作業でピンを突き刺すことが可能な天井板、すなわち石膏ボード等から成る天井板により好適である。また、本発明の吊下げ装置は、天井板に対する固定強度に基づいて、吊下げ可能な物品の許容荷重が設定され、この許容重量に対応したばね定数を有するスプリングを使用する。
【０００９】
また、本発明の吊下げ装置は、請求項２として、警告表示部が、スプリングに抗してフック部材が下降するのに伴って露出する色彩（例えば赤色や黄色等の色彩）を施したものであることを特徴とし、請求項３として、ベースの内面に沿って移動可能な表示板を備え、この表示板に警告表示部を設けると共に、ベースの壁部に、表示板の移動に伴って警告表示部を露出させる開口部を設け、フック部材と表示板との間に、フック部材の下降を表示板の移動に変換する運動伝達手段を設けたことを特徴としている。
【００１０】
さらに、本発明の吊下げ装置は、請求項４として、運動伝達手段が、フック部材側に設けた第一ラックと、表示板側に設けた第２ラックと、第１及び第２のラックに係合するピニオンを備えていることを特徴とし、請求項５として、運動伝達手段が、フック部材側と表示板側を連結する可撓性プレートであることを特徴とし、請求項６として、ベースの壁部の開口部に、凸レンズを設けたことを特徴としている。
【００１１】
さらに、本発明の吊下げ装置は、請求項７として、警告表示部が、スプリングに抗してフック部材が下降するのに伴って点灯する発光体であって、フック部材の下降に伴って発光体に通電するスイッチを備えたことを特徴とし、請求項８として、スイッチが、発光体の電源である電池を備えていることを特徴とし、請求項９として、フック部材に警告表示部が設けてあることを特徴としている。
【００１２】
さらに、本発明の吊下げ装置は、請求項１０として、フックを突出状態にしてベースの外側に被着され且つ機能した警告表示部が視認可能なカバーを備えたことを特徴とし、請求項１１として、フックを突出状態にしてベースの外側に被着するカバーを備え、カバーが、機能した警告表示部を視認するための窓部を有していることを特徴とし、請求項１２として、フックを突出状態にしてベースの外側に被着するカバーを備え、カバーに、発光体を設けたことを特徴とし、請求項１３として、フックを突出状態にしてベースの外側に被着するカバーを備え、カバーが、少なくとも発光体に対応する部分に半透光性を有するものであることを特徴としている。
【発明の効果】
【００１３】
本発明の請求項１に係る吊下げ装置は、物品の重量が許容範囲内である場合には、フック部材が下降しないので警告表示部が機能せず、物品の重量が許容範囲を超過した場合には、フック部材が下降して警告表示部が機能することとなり、これにより、吊下げる物品の重量が許容範囲内であるか否かを目視で至極簡単に判断することができると共に、当該装置が天井から脱落するような事態を未然に防止することができ、信頼性や安全性を大幅に高めることができる。
【００１４】
本発明の請求項２に係る吊下げ装置は、請求項１と同様の効果が得られるうえに、色彩を施した警告表示部により、物品の重量が許容範囲を超過したことを一層認識し易くすることができる。
【００１５】
本発明の請求項３に係る吊下げ装置は、請求項２と同様の効果が得られるうえに、警告表示部を有する表示板、ベースの壁部の開口部、及び運動伝達手段により、フック部材及び表示板の動作が確実なものとなる。
【００１６】
本発明の請求項４に係る吊下げ装置は、請求項３と同様の効果が得られるうえに、第一ラック、第２ラック及びピニオンから成る運動伝達手段により、フック部材及び表示板の動作が一層確実で且つ円滑なものとなる。
【００１７】
本発明の請求項５に係る吊下げ装置は、請求項３と同様の効果が得られるうえに、可撓性プレートから成る運動伝達手段により、より簡単な構造でフック部材及び表示板の動作を円滑に行うことができる。
【００１８】
本発明の請求項６に係る吊下げ装置は、請求項３〜５と同様の効果が得られるうえに、ベースの開口部に凸レンズを設けたことから、物品の重量が許容範囲を超過した場合には、警告表示部の色彩がレンズ全体に拡大され、天井が高い場合であっても、警告表示部を極めて容易に認識することができる。
【００１９】
本発明の請求項７に係る吊下げ装置は、請求項１と同様の効果が得られるうえに、警告表示部である発光体及びスイッチを採用したことから、吊下げる物品の重量が許容範囲内であるか否かを発光体の消灯又は点灯によって至極簡単に判断することができ、とくに、発光体の点灯により、遠方からであっても物品の重量が許容範囲を超過したことを一層認識し易くすることができる。
【００２０】
本発明の請求項８に係る吊下げ装置は、請求項７と同様の効果が得られるうえに、電池を含むスイッチを採用したことから、外部電源を不要にして構造をよりコンパクトにすることができると共に、吊下げる物品の重量が許容範囲内である場合には発光体が点灯しないので、小型の電池だけで長期間にわたって使用することができる。
【００２１】
本発明の請求項９に係る吊下げ装置は、請求項１〜８と同様の効果が得られるうえに、フック部材に警告表示部を設けたことから、構造の大幅な簡略化を実現できる。
【００２２】
本発明の請求項１０に係る吊下げ装置は、請求項１〜９と同様の効果が得られるうえに、カバーにより、外観体裁を大幅に高めることができると共に、装着場所に応じた様々なバリエーションの設定が容易である。
【００２３】
本発明の請求項１１に係る吊下げ装置は、請求項１〜８と同様の効果が得られるうえに、とくに、色彩を施した警告表示部や発光体である警告表示部を備えたものにより有用なものとなる。
【００２４】
本発明の請求項１２に係る吊下げ装置は、請求項７及び８と同様の効果が得られるうえに、カバーに発光体を設けたことにより、物品の重量超過の視認性をより高めることができるうえに、外観体裁も良好なものとなる。
【００２５】
本発明の請求項１３に係る吊下げ装置は、請求項７及び８と同様の効果が得られるうえに、発光体に対応する部分に半透光性を有するカバーにより、外観体裁のさらなる向上を実現することができるうえに、点灯した発光体の光をカバーに乱反射させて視認性のさらなる向上を実現することができる。
【発明を実施するための最良の形態】
【００２６】
以下、図面に基づいて、本発明の吊下げ装置の実施形態を詳細に説明する。図１〜図３は、本発明の吊下げ装置の一実施形態を説明する図である。
【００２７】
図示の吊下げ装置Ｈ１は、概略として、複数のピンＰ１，Ｐ２により天井板Ｃに固定されるベース１と、ベース１に対して上端部を上下動可能に挿設し且つ下端部にフック２を有するフック部材３と、ベース１内部でフック部材３を上昇限に保持するスプリング４と、スプリング４に抗してフック部材３が下降するのに伴って機能する警告表示部５を備えている。なお、吊下げ装置Ｈ１では、金属製のピンＰ１，Ｐ２以外の部材は、主にプラスチック製である。
【００２８】
また、この実施形態の吊下げ装置Ｈ１は、上記構成に加えて、フック部材３の上部に固定するばね座部材６、各構成部材を保持するためのホルダ部材７、及びホルダ部材７の上部に嵌合するキャップ部材８を備えている。なお、図１（ｂ）に示す天井板Ｃは、例えば石膏ボードであって、手作業でピンＰ１，Ｐ２を突き刺すことができる。
【００２９】
ベース１は、上側を開放した円形カップ状の部材であって、中央に、フック部材３の取付け穴９が設けてある。ベース１の内部には、取付け穴９と同心状に配置した段部付のフランジ１０と、９０度間隔で配置した四枚のリブ１１が設けてあり、各リブ１１には、ベース１の外周面から斜め上方に向けてピン通し孔１２が設けてある。
【００３０】
ピンには、位置決め用ピンＰ１と、固定用ピンＰ２がある。位置決め用ピンＰ１は、コ字形に曲成したものであって、ホルダ部材７の上面に設けた凹部１３に中間部分を係合させると共に、ホルダ部材７の上側から嵌合するキャップ部材８を貫通して、垂直に突出している。固定用ピンＰ２は、位置決め用ピンＰ１を天井板Ｃに突き刺した後に、各ピン通し孔１２を通して天井板Ｃに斜めに突き刺す。この実施形態では、四本の固定用ピンＰ２を使用する。これらのピンＰ１，Ｐ２により、当該吊下げ装置Ｈ１を天井板Ｃに簡単に固定することができる。
【００３１】
フック部材３は、下端部にフック２を有すると共に、上端部に中空の軸部１４を有しており、軸部１４をベース１の取付け穴９の下側から挿設して、軸部１４の外周にスプリング（圧縮コイルスプリング）４を設け、その後、上端部にばね座部材６をねじ１５で固定する。これにより、ベース１のフランジ１０の段部とばね座部材６との間にスプリング４が介装され、このスプリング４によりフック部材３を上昇限に保持する。
【００３２】
さらに、吊下げ装置Ｈ１は、ベース１の内面に沿って上下方向に移動可能な表示板１６を備え、この表示板１６に先の警告表示部５を設けると共に、ベース１の壁部に、表示板１６の移動に伴って警告表示部５を露出させる開口部１７が設けてある。開口部１７の両側には、移動する表示板１６を案内するガイド２６が形成してある。そして、吊下げ装置Ｈ１は、フック部材３と表示板１６との間に、フック部材３の下降を表示板１６の移動に変換する運動伝達手段Ｄを設けると共に、ベース１の開口部１７に、凸レンズ１８が嵌合固定してある。
【００３３】
表示板１６は、薄い短尺のプレートであって、上部の外側面（ベース側の面）に、色彩を施した警告表示部５が設けてある。警告表示部５の色彩は、ベース１と明確に区別し得るものが良く、ベース１が白等の淡色である場合には一例として赤色である。
【００３４】
この実施形態の運動伝達手段Ｄは、フック部材３側に設けた第一ラック１９と、表示板１６側に設けた第２ラック２０と、第１及び第２のラック１９，２０に係合するピニオン２１を備えている。
【００３５】
第一ラック１９は、歯列を竪にしてばね座部材６に一体化してあり、これによりフック部材３とともに上下動可能である。第二ラック２０は、表示板１６の内側面（反ベース側の面）に一体成形してある。ピニオン２１は、ホルダ部材７に設けた一対の突片２２，２２により回動自在に保持してある。
【００３６】
上記構成を備えた吊下げ装置Ｈ１は、先述した如く、位置決め用ピンＰ１を天井板Ｃに突き刺して位置決めした後、四本の固定用ピンＰ２を個々のピン通し孔１２を通して天井板Ｃに突き刺すことにより固定し、物品をフック２に係止して、同物品を天井から吊り下げる。このとき、一つの吊下げ装置Ｈ１で物品を吊下げるだけでなく、複数の吊下げ装置Ｈ１で一つの物品を吊下げることもある。なお、物品としては、ボードやシート等の広告媒体や、比較的軽量の観葉植物等の家庭用品といった各種物品が対象となる。
【００３７】
ここで、吊下げ装置Ｈ１は、天井板Ｃに対する固定強度すなわち各ピンＰ１，Ｐ２による固定強度に基づいて、吊下げ可能な物品の許容重量が設定してあり、この許容重量であれば実質的に圧縮が生じないばね定数を有するスプリング４を使用する。
【００３８】
したがって、吊下げ装置Ｈ１は、吊下げた物品の重量が許容範囲内であれば、フック部材３が下降することがなく、図３（ｂ）に示すように、警告表示部５が開口部１７の下側に隠れている状態になっている。
【００３９】
そして、吊下げ装置Ｈ１は、吊下げた物品の重量が許容範囲を超過していると、スプリング４を圧縮しつつフック部材３が下降し、フック部材３とともに第一ラック１９が下降することで、ピニオン２１が図１中で反時計回りに回転し、これに伴って第二ラック２０を有する表示板１６が上方に移動する。これにより、図３（ｃ）に示すように、警告表示部５が開口部１７に達して露出し、この際、開口部１７には凸レンズ１８が設けてあるので、警告表示部５の色彩（赤色）がレンズ全体に拡大され、天井が高い場合でも、遠くから警告表示部５を極めて容易に認識することができ、物品の重量が許容範囲を超過したことを目視で至極簡単に判断することができる。
【００４０】
このように、上記実施形態の吊下げ装置Ｈ１は、物品の重量が許容範囲内であるか否かを目視で容易に判断することが可能であり、当該装置が天井から脱落するような事態を未然に防止することができ、信頼性や安全性に優れたものとなる。
【００４１】
また、上記実施形態の吊下げ装置Ｈ１は、色彩を施した警告表示部５により、物品の重量超過が一層認識し易くなり、しかも、第一ラック１９、第２ラック２０及びピニオン２１から成る運動伝達手段Ｄを採用したことで、フック部材３及び表示板１６の動作を一層確実で且つ円滑にすることができる。
【００４２】
図４は、本発明の吊下げ装置の他の実施形態を説明する図である。図示の吊下げ装置Ｈ２は、先の実施形態とほぼ同様の基本構成を有するもので、フック部材３の下降を表示板１６の移動に変換する運動伝達手段が、フック部材３側と表示板１６側を連結する可撓性プレート２３であり、ホルダ部材７の突片２２，２２の間には、プレート２３を摺動自在に案内するガイド部２４が設けてある。
【００４３】
可撓性プレート２３は、薄いプラスチック製の部材であって、フック部材３側においては、ばね座部材６に固定してあり、ガイド部２４の下側を経て、屈曲した状態で表示板１６に連結してある。この可撓性プレート２３は、表示板１６と一体化することもできる。
【００４４】
上記構成を備えた吊下げ装置Ｈ２は、吊下げた物品の重量が許容重量を超過していると、スプリング４を圧縮しつつフック部材３が下降し、フック部材３とともに可撓性プレート２３が下降するのと同時に、同可撓性プレート２３の摺動とともに表示板１６が上方に移動し、図３（ｃ）に示すように、警告表示部５が開口部１７から露出する。
【００４５】
この実施形態の吊下げ装置Ｈ２によれば、先の実施形態と同等の効果を得らことができるうえに、より簡単な構造でフック部材３及び表示板１６の動作を円滑に行うことができる。
【００４６】
図５は、本発明の吊下げ装置のさらに他の実施形態を説明する図である。図示の吊下げ装置Ｈ３は、フック部材３の下降を表示板１６の移動に変換する運動伝達手段を備えていないものであって、フック部材３の外周部に色彩による警告表示部２５が設けてある。この警告表示部２５は、スプリング４によりフック部材３が上昇限に保持されている状態において、ベース１の取付け穴９内に隠れる位置に設けてある。
【００４７】
上記構成を備えた吊下げ装置Ｈ３は、吊下げた物品の重量が許容重量を超過していると、スプリング４を圧縮しつつフック部材３が下降し、これにより同フック部材３に設けた警告表示部２５がベース１の下側に出て露出する。
【００４８】
この実施形態の吊下げ装置Ｈ３によれば、先の実施形態と同等の効果を得らことができるうえに、構造の大幅な簡略化を実現することができる。
【００４９】
図６は、本発明の吊下げ装置のさらに他の実施形態を説明する図である。なお、先の実施形態と同一の構成部位は、同一符号を付して詳細な説明を省略する。
【００５０】
図示の吊下げ装置Ｈ４は、複数のピンＰ１，Ｐ２により天井板Ｃに固定するベース１と、フック２を有するフック部材３と、スプリング４に抗してフック部材３が下降するのに伴って機能する警告表示部（３５）を備えている。また、吊下げ装置Ｈ４は、フック部材３の上部に固定するばね座部材６、各構成部材を保持するホルダ部材７、及びホルダ部材７の上部に嵌合するキャップ部材８を備えている。
【００５１】
そして、吊下げ装置Ｈ４は、警告表示部が、スプリング４に抗してフック部材３が下降するのに伴って点灯する発光体３５であって、ベース１の内部に、フック部材３の下降に伴って発光体３５に通電するスイッチ３６を備えている。
【００５２】
発光体３５は、例えば赤色の発光ダイオードであって、ベース１に形成した開口部１７に嵌合固定してある。スイッチ３６は、発光体３５の電源である小型の電池（例えばボタン電池）や周知の切換え機構を内蔵していると共に、上下方向に操作される入力部３７を備えている。スイッチ３６は、入力部３７を押し下げると発光体３５に通電するようになっている。これに対して、フック部材３とともに下降するばね座部材６には、入力部３７の上側に延出する押圧部６ａが一体的に設けてある。
【００５３】
上記構成を備えた吊下げ装置Ｈ４は、吊下げた物品の重量が許容重量を超過していると、スプリング４を圧縮しつつフック部材３が下降し、これと同時にばね座部材６の押圧部６ａがスイッチ３６の入力部３７を押し下げ、その結果、発光体３５が点灯する。
【００５４】
このように、上記の吊下げ装置Ｈ４は、吊下げる物品の重量が許容範囲内であるか否かを発光体３５の消灯又は点灯によって至極簡単に判断することができ、とくに、発光体３５の点灯により、遠方からであっても物品の重量が許容範囲を超過したことを非常に容易に認識することができる。
【００５５】
また、上記の吊下げ装置Ｈ４は、電池を含むスイッチ３６を採用しているので、外部電源が不要であって、構造がよりコンパクトなものになり、しかも、吊下げる物品の重量が許容範囲内である場合には発光体３５が点灯しないので、ボタン電池等の小型電池だけで長期間にわたる使用が充分可能である。
【００５６】
図７は、本発明の吊下げ装置のさらに他の実施形態を説明する図である。なお、先の実施形態と同一の構成部位は、同一符号を付して詳細な説明を省略する。
【００５７】
図示の吊下げ装置Ｈ５は、図６に示す実施形態と同等の構成を有するのに加えて、フック２を突出状態にしてベース１の外側に被着され且つ機能した警告表示部が視認可能なカバー４１を備えている。
【００５８】
カバー４１は、例えばプラスチック製であって、概略半球状を成しており、中心部に、フック部材３の通し穴４１ａを有すると共に、通し穴４１ａの周縁部に、ベース１側に係脱可能な複数の係止爪４１ｂを有し、ベース１に対してワンタッチで着脱することができる。また、カバー４１は、機能した警告表示部を外部から視認するための窓部４０を有している。
【００５９】
つまり、上記のカバー４１を備えた吊下げ装置Ｈ５は、図４に示す如く色彩を施した警告表示部５や、図６に示す如く発光体３５による警告表示部を備えた吊下げ装置に好適であって、吊下げる物品の重量が許容範囲内であるか否かを目視で至極簡単に判断し得る機能を充分に確保し、しかも、カバー４１でベース１を被うことにより外観体裁を大幅に高めることができる。
【００６０】
なお、本発明の吊下げ装置を構成するカバーは、図５に示す如くフック部材に警告表示部を設けた吊下げ装置に適用する場合には、窓部の無い構成にしても良い。
【００６１】
図８は、本発明の吊下げ装置のさらに他の実施形態を説明する図である。なお、先の実施形態と同一の構成部位は、同一符号を付して詳細な説明を省略する。
【００６２】
図示の吊下げ装置Ｈ６は、図６に示す実施形態とほぼ同等の構成を有するのに加えて、フック２を突出状態にしてベース１の外側に被着するカバー４１を備え、カバー４１の窓部４０に、警告表示部である発光体３５を嵌合固定した構成になっている。
【００６３】
上記の吊下げ装置Ｈ６では、ベース１に設けた開口部１７が発光体３５のリード線の通し穴として用いられ、発光体３５とスイッチ３６とを直接的に結線しても良いし、双方の間に図示しないコネクタを設けて組立性を高めることも良い。
【００６４】
上記の吊下げ装置Ｈ６は、先の各実施形態と同様の効果が得られるうえに、カバー４１に発光体３５を設けたことで、物品の重量超過の視認性をより高めることができるうえに、外観体裁もさらに良好なものとなる。
【００６５】
図９は、本発明の吊下げ装置のさらに他の実施形態を説明する図である。なお、先の実施形態と同一の構成部位は、同一符号を付して詳細な説明を省略する。
【００６６】
図示の吊下げ装置Ｈ７は、図６に示す実施形態と同等の構成を有するのに加えて、フック２を突出状態にしてベース１の外側に被着するカバー４１を備え、カバー４１が、少なくとも発光体３５に対応する部分に半透光性を有する構成になっている。なお、カバー４１は、全体を半透光性を有するものにして製造性を高めることも良い。
【００６７】
上記の吊下げ装置Ｈ７は、少なくとも発光体３５に対応する部分に半透光性を有するカバー４１より、外観体裁のさらなる向上を実現するうえに、点灯した発光体３５の光がカバー４１に乱反射して拡散状態となり、点灯時の視認性のさらなる向上を実現することができる。
【００６８】
図１０は本発明の吊下げ装置Ｈの使用例を説明する図である。図１０（ａ）は、当該吊下げ装置ＨをＰＯＰ用品として使用した場合を示しており、天井板Ｃに２個の吊下げ装置Ｈ，Ｈを固定して、これらの吊下げ装置Ｈ，Ｈでボード状の広告媒体Ａ１を吊下げた使用例である。
【００６９】
図１０（ｂ）は、当該吊下げ装置Ｈをペンダントライトのコードハンガーとして使用する場合を示しており、天井板Ｃに吊下げ装置Ｈを固定して、この吊下げ装置ＨでペンダントライトＡ２のコードＡｃの中間部を掛止した使用例である。
【００７０】
図１０（ｃ）は、当該吊下げ装置ＨをモビールＡ３等の装飾品の吊下げに使用した例であると共に、図１０（ｄ）は、当該吊下げ装置Ｈを観葉植物Ａ４の吊下げに使用した例である。
【００７１】
このように、本発明の吊下げ装置Ｈ，Ｈ１〜Ｈ７は、石膏ボード等の天井板に対して非常に簡単に着脱することが可能であり、しかも、取り外し後にピンの跡が殆ど判らなくなるので、什器の配置などに応じて天井板に対する取り付け場所を自由に選択することができ、ＰＯＰ用品や家庭用品として非常に便利である。
【００７２】
本発明の吊下げ装置は、その構成が上記の各実施形態に限定されるものではなく、吊下げ対象となる物品に応じて、各部材の数、形態、大きさ及び材料等を適宜変更し得るうえに、各実施形態の運動伝達手段や警告表示部を組み合わせることも可能である。
【００７３】
警告表示部は、単色だけでなく、複数の色彩（例えば黄色と赤色）を設けて段階的に露出する構成にしたり、複数の色彩の発光体を組み合わせて使用することもできる。また、カバーは、それ自体の形状を変更したり、外面に適宜の意匠・装飾を施したりすることができ、装着場所に応じた様々なバリエーションの設定が容易であり、しかも、プラスチック類を材料にして比較的安価に製造することができる。
【図面の簡単な説明】
【００７４】
【図１】本発明の吊下げ装置の一実施形態を説明する平面図（ａ）及び断面図（ｂ）である。
【図２】図１に示す吊下げ装置の下方から見た斜視図（ａ）、警告表示部が隠れている状態を示す正面図（ｂ）及び警告表示部が露出した状態を示す正面図（ｃ）である。
【図３】図１に吊下げ装置を分解状態にした斜視図（ａ）及び組立て後の斜視図（ｂ）である。
【図４】本発明の吊下げ装置の他の実施形態を説明する断面図である。
【図５】本発明の吊下げ装置のさらに他の実施形態を説明する断面図である。
【図６】本発明の吊下げ装置のさらに他の実施形態を説明する断面図である。
【図７】本発明の吊下げ装置のさらに他の実施形態を説明する断面図である。
【図８】本発明の吊下げ装置のさらに他の実施形態を説明する断面図である。
【図９】本発明の吊下げ装置のさらに他の実施形態を説明する断面図である。
【図１０】本発明の吊下げ装置の使用例を示す各々側面図（ａ）〜（ｄ）である。
【符号の説明】
【００７５】
Ｃ          天井板
Ｄ          運動伝達手段
Ｈ          吊下げ装置
Ｈ１〜Ｈ７  吊下げ装置
Ｐ１        位置決め用ピン
Ｐ２        固定用ピン
１          ベース
２          フック
３          フック部材
４          スプリング
５  ２５    警告表示部
１６        表示板
１７        開口部
１８        凸レンズ
１９        第一ラック（運動伝達手段）
２０        第２ラック（運動伝達手段）
２１        ピニオン（運動伝達手段）
２３        可撓性プレート（運動伝達手段）
３５        発光体（警告表示部）
３６        スイッチ
４０        カバーの窓部
４１        カバー
【図１】
2010101484.tif 000003
【図２】
2010101484.tif 000004
【図３】
2010101484.tif 000005
【図４】
2010101484.tif 000006
【図５】
2010101484.tif 000007
【図６】
2010101484.tif 000008
【図７】
2010101484.tif 000009
【図８】
2010101484.tif 000010
【図９】
2010101484.tif 000011
【図１０】
2010101484.tif 000012